(57)【要約】【課題】      高精度にガス濃度を測定することができる小型の可燃性ガス濃度測定装置を提供する。【解決手段】  本発明の可燃性ガス濃度測定装置は、可燃性ガスが吸気されるガス吸気手段と、空気が吸気される空気吸気手段と、前記ガス吸気手段からのガスと空気吸気手段からの空気とを混合する混合部と、前記混合部の下流側に配置され混合されたガスのガス濃度を検出するガスセンサと、前記混合されたガスを前記ガスセンサに供給するポンプとを有し、当該ポンプは、ダイヤフラムを収縮拡大して負圧状態または加圧状態を生成し前記混合ガスを前記ガスセンサに導き、更に、互いに異なる位相で収縮拡大する複数のダイヤフラムを有することを特徴とする。【選択図】    図１
2006119061.tif 000002
【特許請求の範囲】
【請求項１】
可燃性ガスが吸気されるガス吸気手段と、
空気が吸気される空気吸気手段と、
前記ガス吸気手段からのガスと空気吸気手段からの空気とを混合する混合部と、
前記混合部の下流側に配置され混合されたガスのガス濃度を検出するガスセンサと、
前記混合されたガスを前記ガスセンサに供給するポンプとを有し、
当該ポンプは、ダイヤフラムを収縮拡大して負圧状態または加圧状態を生成し前記混合ガスを前記ガスセンサに導き、更に、互いに異なる位相で収縮拡大する複数のダイヤフラムを有することを特徴とする可燃性ガス濃度測定装置。
【請求項２】
請求項１において、
前記ガスセンサは、前記混合されたガスが導入され排出される第１の部分と、前記第１の部分とフィルタを介して隣接し前記第１の部分内のガスが拡散される第２の部分と、当該第２の部分に配置されたガス検出素子とを有することを特徴とする可燃性ガス濃度測定装置。
【発明の詳細な説明】
【技術分野】
【０００１】
本発明は、一酸化炭素などの可燃性ガス濃度測定装置に関し、特に、広い濃度範囲にわたり高精度のガス濃度を検出することができる可燃性ガス濃度測定装置に関する。
【背景技術】
【０００２】
ガスや石油などを燃料として燃焼させる機器の定期点検において、ガス機器の排出ガス内の一酸化炭素ガス（以下ＣＯガス）の濃度をチェックし、不完全燃焼状態を早期に検出することが行われる。例えば、排気口の一部分にでも所定の濃度以上のＣＯガスが検出されると、ガス機器の燃焼装置において何らかの不完全燃焼状態が発生しているものと見なして、詳細な点検が行われる。一般に燃焼機器は、燃焼全般が不良状態になる前に、燃焼不良部分が燃焼面の一部分だけに発生する傾向を有することから、排気口にガス濃度測定用の吸気パイプ管を挿入して、その位置を移動しながらガス濃度を測定し、高いガス濃度の排気の有無がチェックされる。排気口の一部にでも高いＣＯガス濃度が検出されると、燃焼器全体が不良状態になる兆候と見なされる。
【０００３】
化石燃料の燃焼排気ガスには、ＣＯガス以外に、水素ガス、二酸化炭素ガスなどが含まれるが、ＣＯガスや水素ガスは、酸素が供給されれば燃焼する可燃性ガスである。そして、ＣＯガスを選択的に測定するために、接触燃焼式ガスセンサが提案されている。例えば、特許文献１に示される通りである。この特許文献１に記載された接触燃焼式ガスセンサは、金属コイルにアルミナからなる担体を電着で形成し、その表面に白金などの触媒を形成したものであり、コイルに一定の電流を流すことによりアルミナ担体を加熱し、排気ガス中のＣＯガスのみを触媒を介して燃焼させ、燃焼によりコイルの温度が上昇するのをコイルの抵抗値で検出する。そして、ＣＯガス濃度と燃焼によるコイルの抵抗値の上昇とが所定の比例関係を有することを利用して、ＣＯガス濃度を検出する。
【０００４】
更に、本願発明者らは、金属コイルに、一定の方法で、触媒が混合されたアルミナ担体を薄く且つ多数の孔を有して形成することで、接触燃焼領域を増大して高濃度領域での検出を可能にし、熱容量を小さくして低濃度領域での検出可能範囲を広げ、担体の表面温度のばらつきが少なくなり可燃性ガスの種類に対する選択性を向上させ、熱容量の低下により応答速度を高めた接触燃焼式ガスセンサを提案した。例えば、特許文献２に記載されている。
【０００５】
また、本発明者らは、吸入される被測定ガスに空気を混合させて、高濃度で酸素不足の被測定ガスが完全に燃焼することができるようにして、高濃度領域でのガス濃度の測定を可能にした測定装置を提案した。例えば、特許文献３に記載されている。
【特許文献１】特開２００３−１２１４０２号公報（２００３年４月２３日公開）
【特許文献２】特願２００４−１３７２９３号（２００４年５月６日出願）
【特許文献３】特願２００４−１３７２９４号（２００４年５月６日出願）
【発明の開示】
【発明が解決しようとする課題】
【０００６】
ガス燃焼装置の定期点検などの利用に供するために、上記可燃性ガス濃度測定装置を小型化して携帯可能にすることが望まれるところ、小型化するためには、被測定ガスと空気を吸引するための小型ポンプが必要になる。しかしながら、ガス濃度測定時において、ガスを吸引する吸気パイプがねじれなどにより閉塞状態になったりすると、被測定ガスの流量が大きく変動し空気との混合比が変動し、高精度にガス濃度を測定することができなくなる。また、ポンプによる吸引に伴って吸引圧力に脈動が生じると被測定ガスと空気の混合比が変動し同様に高精度のガス濃度の測定ができなくなる。
【０００７】
そこで、本発明の目的は、高精度にガス濃度を測定することができる小型の可燃性ガス濃度測定装置を提供することにある。
【課題を解決するための手段】
【０００８】
上記目的を達成するために、本発明の側面は、可燃性ガスが吸気されるガス吸気手段と、空気が吸気される空気吸気手段と、前記ガス吸気手段からのガスと空気吸気手段からの空気とを混合する混合部と、前記混合部の下流側に配置され混合されたガスのガス濃度を検出するガスセンサと、前記混合されたガスを前記ガスセンサに供給するポンプとを有し、当該ポンプは、ダイヤフラムを収縮拡大して負圧状態または加圧状態を生成し前記混合ガスを前記ガスセンサに導き、更に、互いに異なる位相で収縮拡大する複数のダイヤフラムを有することを特徴とする可燃性ガス濃度測定装置である。
【０００９】
上記本発明の側面において、好ましい実施例によれば、前記ガスセンサは、前記混合されたガスが導入され排出される第１の部分と、前記第１の部分とフィルタを介して隣接し前記第１の部分内のガスが拡散される第２の部分と、当該第２の部分に配置されたガス検出素子とを有する。ガス検出素子が配置された第２の部分には、第１の部分の流速の影響が抑制されているので、ガス検出素子はガスの流速による影響を受けることなく高精度にガス濃度を検出することができる。そして、複数のダイヤフラムを有するポンプにより混合されたガスがガスセンサに導入されるので、第１の部分の流速に脈動が生じることが抑制され、ガス流によるガス検出素子への影響が抑えられ、高精度にガス濃度を検出することができる。
【発明の効果】
【００１０】
上記本発明の側面によれば、ポンプに異なる位相で収縮拡大する複数のダイヤフラムを設けることにより、ポンプが生成する負圧状態または加圧状態の脈動を小さくすることができ、ガス吸気手段と空気吸気手段の流体抵抗の変動を抑制し、被測定ガスと空気の混合比の変動を抑制して、高精度のガス濃度測定を可能にすることができる。
【発明を実施するための最良の形態】
【００１１】
以下、図面にしたがって本発明の実施の形態について説明する。但し、本発明の技術的範囲はこれらの実施の形態に限定されず、特許請求の範囲に記載された事項とその均等物まで及ぶものである。
【００１２】
図１は、本実施の形態における可燃性ガス濃度測定装置の概略構成図である。測定装置の本体３０は、携帯が可能な程度のサイズと重さを有する。図中、本体３０の破線から下側３２Ａに装置本体３０の外観が示され、破線から上側３２Ｂに装置本体３０の内部の構成が示されている。
【００１３】
まず、ガス濃度測定のための構成について説明する。本体３０の左上には、被測定ガスを導入するガス吸気管２２が設けられている。このガス吸気管２２には、図示しない一定の長さの吸気パイプやチューブが接続され、その吸気パイプやチューブの他端を燃焼機器の排気口などで移動させ、そこから被測定ガスを吸入する。また、本体３０の左上には空気吸気管２４が設けられ、空気吸気管２４はガス吸気管２２に、後述するベンチュリー管構造により合流して混合部２２Ａを構成する。即ち、ガス流の下流側に設けた吸気ポンプ２９によりガスを吸引することにより、被測定ガスのガス流が形成され、そのガス流に基づいて空気が被測定ガスに混合される。空気の混合を可能にすることで、被測定ガス中に酸素不足が生じても被測定ガスをセンサ表面で完全に燃焼させることができ、高いガス濃度までの測定を可能にすることができる。
【００１４】
混合部２２Ａで混合された被測定ガスは、配管２６とそれより断面積が大きい配管２６Ａと流れ、ガスセンサ２１に供給される。断面積が大きい配管２６Ａに流れ込んできた被測定ガス流は流速が遅くなり、ガスセンサ２１に低い流速で供給される。ガスセンサ２１の下流側には吸気ポンプ２９が設けられ、ポンプの排気が排気管２７から行われる。ポンプ２９は、ガスセンサ２１の上流側または混合部２２Ａの上流側に設けても良い。その場合は、ポンプ２９は、ガスセンサ２１に対して吐出動作を行って混合ガスを導入する。
【００１５】
一方、測定装置本体３０の表面には、単一の表示手段３４と、瞬時値指令ボタン３６と、ゼロ調整指令ボタン３８と、電源スイッチ４０とが設けられている。電源スイッチ４０がオンされると、所定のサンプリング時間間隔でガスセンサが被測定ガス濃度を検出し、表示手段３４には継続して検出されるガス濃度のうち最大ガス濃度値が表示される。そして、瞬時値ボタン３６を押し続けることにより、表示手段３４にはガス濃度の瞬時値が表示され、瞬時値ボタン３６の押し下げを停止すると、表示手段３４は最大ガス濃度値を表示する通常表示モードに戻る。また、ゼロ調整指令ボタン３８を押すことにより、一連のガス濃度測定がリセットされ、ガスセンサのゼロ点校正が行われる。但し、ガス濃度測定中に誤ってゼロ調整指令ボタン３８が押されると、測定中のガス濃度の瞬時値が所定の基準濃度以上である場合には、エラー表示が表示手段３４または図示しないエラーランプなどにより行われる。瞬時値が基準濃度未満であれば、一連のガス濃度測定値がクリアされガスセンサのゼロ点校正が行われる。
【００１６】
図２、図３は、本実施の形態における接触燃焼式ガスセンサの構成を示す図である。図２には、ガスセンサの検知素子とその回路構成を示す。本実施の形態におけるガスセンサの検知素子は、図２（ａ）に示されるとおり、白金線またはニッケル線からなるコイル線１２に触媒を混ぜ込んだアルミナ担体１４を電着方法により薄く付着させ、焼成により担体１４に複数の貫通孔１９を形成したものである。アルミナ担体１４を薄く付着することにより、コイル線１２に対して円筒状のアルミナ担体１４が形成される。この担体には、ＣＯガスを触媒燃焼させる白金やパラジウムなどの触媒１６が混入され、多数の貫通孔１９が形成され、担体１４の表面に加えて貫通孔１９内の触媒も被測定ガスに接触して、被測定ガスの完全な燃焼に寄与する。上記の接触燃焼式ガスセンサについては、前述した特許文献２に詳述されている。
【００１７】
このように、ガスセンサの検知素子は、担体が触媒を混合した状態で多数の貫通孔１９を有して薄膜状に形成されているので、触媒による接触燃焼領域が増大して高濃度領域の検出範囲が広がり、多孔質化させたことで熱容量が低下し低濃度領域での検出範囲も広がり、熱容量の低下により担体表面温度のばらつきが少なくなりガス選択性を向上させている。
【００１８】
図２（ｂ）は、検出回路構成を示し、被測定ガスが接触燃焼する検知素子Ｅ１と温度補償用の参照素子Ｅ２と、抵抗Ｒ１，Ｒ２とによりブリッジ回路が構成されている。参照素子Ｅ２は、図２（ａ）と同じ構成であるが、触媒が混入されておらず、被測定ガスが接触しても燃焼することはない。ブリッジ回路では、検知素子Ｅ１と参照素子Ｅ２の直列回路と、抵抗Ｒ１，Ｒ２の直列回路に電源が印加され、検知素子Ｅ１と参照素子Ｅ２のコイルを発熱させ、被検出ガスの燃焼が誘発される。そして、検知素子Ｅ１で被測定ガスであるＣＯガスが燃焼しコイル線が温度上昇により抵抗値が高くなることが、ノードＡ，Ｂが接続されたセンサ出力から電圧値として検出される。参照素子Ｅ２は、環境温度の上昇によりコイル線の抵抗が高くなった場合に、それを補償するためのものである。
【００１９】
上記のブリッジ回路により、被測定ガス濃度が高くなると、検知素子Ｅ１での燃焼が活発になり温度上昇によりコイル線の抵抗が高くなる。その結果、ノードＡの電圧値が高くなる。一方、被測定ガス濃度が低くなると、逆にコイル線の抵抗が低くなり、ノードＡの電圧値が低くなる。この被測定ガス濃度と電圧値とは比例関係にあるので、電圧値から被測定ガス濃度を検出することができる。
【００２０】
図３は、図１に示したガスセンサ２１の内部構成を示すものである。配管２６Ａが流入口Ｐ１に接続され、排出口Ｐ２が吸気ポンプ２９に接続されている。そして、導管２１１は、流入口Ｐ１から流入し排出口Ｐ２から排出される被測定ガスが通過する第１の導管部分２１１Ａと、検知素子２１３と参照素子２１２が収納される第２の導管部分２１１Ｂとを有し、両者の間にはフィルタとして金属メッシュ板２１４が設けられている。そして、参照素子２１２は検出素子２１３よりガス流の上流型に配置され、両者の間には輻射熱を遮断する隔壁２１６が形成され、参照素子２１２と検出素子２１３はそれぞれメッシュ状の貫通孔を有する覆い部２１８で覆われている。
【００２１】
被測定ガスは流入口Ｐ１から導入され、断面積の広い第１の導管部分２１１Ａで減速される。また、第１の導管部分２１１Ａに流入した被測定ガスは、金属メッシュ板２１４を介して素子が収納されている第２の導管部分２１１Ｂに拡散される。金属メッシュ板２１４には、エチルアルコールやメチルアルコール等を吸着する活性炭などの吸着剤２１５が配置され、流入した被測定ガスから測定対象のＣＯガス以外の測定に影響するガスが吸着される。
【００２２】
また、参照素子２１２が検知素子２１３の上流側に配置されることで、検出素子２１３での燃焼により発生する熱が参照素子２１２に影響を与えないようにすることができる。更に、温度センサ２１７は、第１の導管部分２１１Ａ内の温度を検知し、温度補正に利用される。
【００２３】
図４は、本実施の形態におけるガス濃度測定装置の吸引ポンプの構成を示す断面図である。このポンプは、本体５０に吸引口５６と吐出口５８Ａ、５８Ｂとを有し、吸引口５６と吐出口５８Ａとに対して第１のダイヤフラム５２Ａが設けられ、吸引口５６と吐出口５８Ｂとに対して第２のダイヤフラム５２Ｂが設けられている。更に、吸引口５６には下側にのみ変位可能な吸入弁６２、６４が設けられ、吐出口５８Ａと５８Ｂには上側にのみ変位可能な吐出弁６０、６６が設けられている。そして、２つのダイヤフラム５２Ａ、５２Ｂは、本体５０に取り付けられたモータＭにより回転制御される回転板５４の往復運動により、それぞれ１８０度の位相差で収縮と拡大を繰り返す。つまり、図示された状態では、ダイヤフラム５２Ａの拡大運動により吸引口５６は負圧状態にされ、ダイヤフラム５２Ａが収縮する時は、逆にダイヤフラム５２Ｂの拡大運動により吸引口５６は負圧状態にされる。その結果、モータＭの回転周期の１／２の周期で吸引口５６を負圧状態に駆動し、圧力の脈動を抑えることができる。吐出口５８Ａ，５８Ｂにおける圧力状態も、２つのダイヤフラム５２Ａ，５２Ｂの往復運動により、加圧状態が繰り返される。
【００２４】
図１に示したように、ガスセンサ２１の下流側にポンプ２９を設ける場合は、図４の吸引口５６がガスセンサ側に接続され、吐出口５８Ａ，５８Ｂが排気口２７側に接続される。一方、ポンプ２９をガスセンサ２１の上流側に設ける場合は、ポンプの吸引口が混合部２２Ａ側にポンプの吐出口がガスセンサ２１側に接続される。
【００２５】
このように異なる位相で収縮拡大する複数のダイヤフラムを有するポンプを設けることにより、ガス濃度測定装置には以下に説明するように様々なメリットが伴う。
【００２６】
図５は、１つのダイヤフラムからなるポンプと２つのダイヤフラムを有するポンプとについて圧力と流量の関係を示すグラフ図である。横軸がポンプの吐出圧力（または吸引圧力）に、縦軸が流量に対応する。このグラフ図は、ポンプの吐出口にガス配管を接続し、ポンプを一定能力で駆動しながら配管の閉塞率を変化させてポンプの吐出圧力を変化させた場合において、配管の流量をプロットしたものである。つまり、配管の閉塞率を上げると流体抵抗が上がり吐出圧力が増加するが、ガス流量は低下する。一方、配管の閉塞率を下げると流体抵抗が下がり吐出圧力が低下するが、ガス流量は増加する。その場合、本発明らの実験によれば、１つのダイヤフラムだけからなるポンプの場合は、閉塞率の変化に対してガス流量の変化が大きいのに対して、２つのダイヤフラムを有するポンプの場合は、閉塞率の変化に対してガス流量の変化が小さくなっている。この現象は、ポンプの吸引口に配管を接続した場合も同様である。
【００２７】
このことから判明することは、本実施の形態におけるガス濃度測定装置に２つのダイヤフラムを有するポンプを採用することにより、ガス吸気孔２２に接続される吸気パイプが測定現場でねじれなどにより閉塞して流体抵抗が高くなっても、それに伴うガス流量の変動を抑制することができることであり、その結果、空気との混合比の変動を抑えることができるので、より高精度のガス濃度を検出することができる。１つのダイヤフラムのみからなるポンプでは、吸気パイプの閉塞により流体抵抗が高くなると、それに伴って流量が大きく変動するので、混合比も変動し高精度にガス濃度を検出することはできない。
【００２８】
また、シングルダイヤフラムのポンプでは、流体抵抗が高くなると、圧力変動が大きいためか、配管内に圧力の粗密が生じ、ポンプの吸引口と吐出口の弁の開閉時にビビリ振動が発生し、最悪ポンプが停止してしまう現象が生じることがある。それに対して、２つ以上のダイヤフラムのポンプでは、この圧力の粗密が起こりにくいため、弁にビビリ振動が発生しない。このことにより、ダイヤフラムの寿命がシングルダイヤフラムより２つ以上のダイヤフラムのほうがより長くなる傾向にある。
【００２９】
図６は、本実施の形態における空気混合部の構成を示す断面図である。ガス吸気管２２は、その断面積が狭くなる混合部２２Ａを有し、その混合部２２Ａに空気吸気管２４の一端が挿入されて、ベンチュリー管構造となっている。混合部２２Ａでのガス吸入に伴う負圧状態により、空気が吸入され混合される。混合部２２Ａにつながる配管２６は、その断面積が大きい配管２６Ａにつながっており、混合部２２Ａで混合されたガスの流速が低くなる。流速が抑えられた混合ガスは、図示しないガスセンサ２１に供給される。
【００３０】
このように、空気混合部で所定の混合比で被測定ガスに空気を混合して、高濃度の被測定ガスが燃焼する時の酸素不足を解消し、高濃度領域での測定を可能にしている。従って、混合比が一定に保たれることが期待される。ところが、シングルダイヤフラムのポンプを利用する場合、その動作に起因して圧力の脈動が大きく、被測定ガスと空気を吸引する圧力変化により、被測定ガスの吸気管２２と空気の吸気管２４の流体抵抗が変動し、混合比が変動する。
【００３１】
図７は、被測定ガスと空気の流体抵抗の関係を示すグラフ図である。このグラフでは、横軸が圧力Ｐ、縦軸が流体抵抗ηである。ガス吸気管２２と空気吸気管２４の断面積が異なることに起因して、吐出圧力または吸引圧力が変化すると、それぞれの吸気管２２，２４での流体抵抗が変動する。しかも、断面積が大きいガス吸気管２２の抵抗変動は、断面積が小さい空気吸気管２４の抵抗変動よりも小さい。従って、圧力変動を図中破線の領域に維持できればそれぞれの流体抵抗は同程度であり、混合比を所望の値に維持することができるが、シングルダイヤフラムのポンプにより圧力変動が大きくなると、両者の抵抗が異なり、混合比を所望の値に維持することができなくなる。そこで、本実施の形態では、ポンプにダブルダイヤフラムのものにすることで、その圧力変動を抑制し、被測定ガスと空気の混合比の変動を抑制している。
【００３２】
更に、被測定場所の排気口での排気流量が大きい場合は、排気流による動圧のため、負圧状態にされているポンプの吸気口が加圧されてしまう。そのため、シングルダイヤフラムのポンプでは、ダイヤフラムが閉じた状態が存在し、その状態での加圧による影響で、脈動がより大きくなる。それに対して、複数のダイヤフラムのポンプでは、常にいずれかのダイヤフラムが開いており、加圧による脈動への影響を抑制することができる。従って、シングルダイヤフラムよりも複数ダイヤフラムのポンプのほうが、被測定ガス流の動圧による脈動への影響を抑えることができる。
【００３３】
最後に、図３に示したガスセンサの構成を考慮すると、ダブルダイヤフラムのポンプを使用することにより、ガス濃度を高精度に測定することができる。図３に示されるとおり、本実施の形態のガスセンサでは、第１の導管部分２１１Ａと検知素子２１３及び参照素子２１２が収納されている第２の導管部分２１１Ｂとが金属メッシュ板２１４からなるフィルタで分離されていて、検知素子らが収納されている第２の導管部分２１１Ｂには被測定ガスが自然拡散に近い状態で導入されるようにしている。従って、ポンプにより脈動が生成されると、第１の導管部分２１１Ａと第２の導管部分２１１Ｂとの間で圧力変動の時間的な差異が生じ、第２の導管部分２１１Ｂに被測定ガスの流れを招来し、検知素子２１３に風の影響による温度低下が生じガス濃度測定値にばらつきを生じさせる。そこで、本実施の形態では、ダブルのダイヤフラムを異なる位相で駆動するポンプを設けることにより、圧力変動を抑制し、第２の導管部分２１１Ｂ内のガス流の発生を抑えることができる。
【００３４】
以上のとおり、本実施の形態の可燃性ガス測定装置において、複数のダイヤフラムを異なる位相でそれぞれ駆動して加圧または負圧を生成するポンプを採用し、ポンプによる圧力の脈動を抑えて、高精度のガス濃度測定を可能にすることができる。上記の例では、２つのダイヤフラムを駆動するポンプを説明したが、３つ以上のダイヤフラムをそれぞれ異なる位相で駆動するポンプでもよいことは明らかである。
【図面の簡単な説明】
【００３５】
【図１】本実施の形態における可燃性ガス濃度測定装置の概略構成図である。
【図２】本実施の形態における接触燃焼式ガスセンサの構造を示す図である。
【図３】本実施の形態における接触燃焼式ガスセンサの構成を示す図である。
【図４】本実施の形態におけるガス濃度測定装置の吸引ポンプの構成を示す断面図である。
【図５】１つのダイヤフラムからなるポンプと２つのダイヤフラムを有するポンプとについて圧力と流量の関係を示すグラフ図である。
【図６】本実施の形態における空気混合部の構成を示す断面図である。
【図７】被測定ガスと空気の流体抵抗の関係を示すグラフ図である。
【符号の説明】
【００３６】
２１：ガスセンサ、２２：ガス吸気管、２２Ａ：混合部、２４：空気吸気管
２９：ポンプ、３０：測定装置本体
【図１】
2006119061.tif 000003
【図２】
2006119061.tif 000004
【図３】
2006119061.tif 000005
【図４】
2006119061.tif 000006
【図５】
2006119061.tif 000007
【図６】
2006119061.tif 000008
【図７】
2006119061.tif 000009